(57)【要約】【課題】無線リソースの有効活用と無線通信システムの消費電力量低減を実現すること。【解決手段】ハンドオーバ元の基地局におけるトラフィック量及び消費電力量のハンドオーバ前の第１の測定値とハンドオーバ後の第１の推定値と、ハンドオーバする先の基地局の複数の候補におけるトラフィック量及び消費電力量のハンドオーバ前の第２の測定値とハンドオーバ後の第２の推定値と、に基づいて、前記ハンドオーバ元の基地局及び候補の組み合わせにおける前記ハンドオーバ前のトラフィック量の総和と前記ハンドオーバ後のトラフィック量の総和との変化量、及び、前記ハンドオーバ前の消費電力量の総和の変化量及び前記ハンドオーバ後の消費電力量の総和の変化量を算出し、前記算出したトラフィック量の変化量及び消費電力量の変化量に基づいて、前記複数の候補の中から、前記ハンドオーバ先の基地局を決定する。【選択図】図１０
2016201582.tif 000002
【特許請求の範囲】
【請求項１】
無線通信システムであって、
メモリと、
基地局と無線によって通信する移動局のハンドオーバ先を決定するハンドオーバ先決定部と、を有し、
前記ハンドオーバ先決定部は、
ハンドオーバ元の基地局におけるハンドオーバ前のトラフィック量及び消費電力量の第１の測定値と、前記ハンドオーバ元の基地局におけるハンドオーバ後のトラフィック量及び消費電力量の第１の推定値と、ハンドオーバする先の基地局の複数の候補におけるハンドオーバ前のトラフィック量及び消費電力量の第２の測定値と、前記複数の候補におけるハンドオーバ後のトラフィック量及び消費電力量の第２の推定値と、を取得し、
前記第１の測定値、前記第１の推定値、前記複数の第２の測定値及び前記複数の第２の推定値に基づいて、前記ハンドオーバ元の基地局及び候補の組み合わせにおける前記ハンドオーバ前のトラフィック量の総和と前記ハンドオーバ後のトラフィック量の総和との変化量、及び、前記ハンドオーバ元の基地局及び候補の組み合わせにおける前記ハンドオーバ前の消費電力量の総和の変化量及び前記ハンドオーバ後の消費電力量の総和の変化量を算出し、前記算出したトラフィック量の変化量及び消費電力量の変化量を前記メモリに格納し、
前記算出したトラフィック量の変化量及び消費電力量の変化量に基づいて、前記複数の候補の中から、前記ハンドオーバ先の基地局を決定することを特徴とする無線通信システム。
【請求項２】
請求項１に記載の無線通信システムであって、
前記移動局と無線によって通信する基地局を含み、
前記基地局は、
前記ハンドオーバ先決定部及び前記メモリを有し、
前記決定したハンドオーバ先の基地局を、前記移動局に通知するハンドオーバ部を有することを特徴とする無線通信システム。
【請求項３】
請求項２に記載の無線通信システムであって、
前記基地局は、他の基地局と接続するためのインタフェースを有し、
前記ハンドオーバ先決定部は、前記複数の候補から、前記インタフェースを介して、前記第２の測定値及び前記第２の推定値を取得することを特徴とする無線通信システム。
【請求項４】
請求項１に記載の無線通信システムであって、
前記移動局と無線によって通信する基地局と、前記基地局が接続するコアネットワークとを含み、
前記コアネットワークは、前記ハンドオーバ先決定部と前記メモリとを有する上位装置を含み、
前記ハンドオーバ先決定部は、前記決定したハンドオーバ先の基地局を、前記ハンドオーバ元の基地局を介して前記移動局に通知することを特徴とする無線通信システム。
【請求項５】
請求項１に記載の無線通信システムであって、
前記移動局と無線によって通信する基地局を含み、
前記ハンドオーバ元の基地局は、前記基地局の消費電力量を測定する消費電力測定装置に接続し、
前記ハンドオーバ先決定部は、前記消費電力測定装置によって測定された前記ハンドオーバ元の基地局の消費電力量を含む前記第１の測定値を取得することを特徴とする無線通信システム。
【請求項６】
請求項１に記載の無線通信システムであって、
前記ハンドオーバ先決定部は、
前記算出したトラフィック量の変化量Ｄｉｆｆ＿Ｔ、前記算出した消費電力量の変化量Ｄｉｆｆ＿Ｐ、候補を示す引数ｎ、トラフィック量の重みα、及び、消費電力量の重みβ及びオフセット値γを用い、評価値（α×（Ｄｉｆｆ＿Ｔ（ｎ））＋β×（−Ｄｉｆｆ＿Ｐ（ｎ））＋γ）を、前記ハンドオーバ元の基地局及び候補の組み合わせごとに算出し、
前記複数の候補の中から、前記算出した評価値が最も大きい候補を選択し、
前記選択した候補を、前記ハンドオーバ先の基地局に決定することを特徴とする無線通信システム。
【請求項７】
請求項６に記載の無線通信システムであって、
前記ハンドオーバ先決定部は、前記基地局が接続するコアネットワークから、前記重みα、前記重みβ及び前記オフセット値γの少なくとも一つを取得することを特徴とする無線通信システム。
【請求項８】
移動局と無線によって通信する基地局であって、
メモリと、
前記移動局のハンドオーバ先を決定するハンドオーバ先決定部と、を有し、
前記ハンドオーバ先決定部は、
ハンドオーバ元の基地局におけるハンドオーバ前のトラフィック量及び消費電力量の第１の測定値と、前記ハンドオーバ元の基地局におけるハンドオーバ後のトラフィック量及び消費電力量の第１の推定値と、ハンドオーバする先の基地局の複数の候補におけるハンドオーバ前のトラフィック量及び消費電力量の第２の測定値と、前記複数の候補におけるハンドオーバ後のトラフィック量及び消費電力量の第２の推定値と、を取得し、
前記第１の測定値、前記第１の推定値、前記複数の第２の測定値及び前記複数の第２の推定値に基づいて、前記ハンドオーバ元の基地局及び候補の組み合わせにおける前記ハンドオーバ前のトラフィック量の総和と前記ハンドオーバ後のトラフィック量の総和との変化量、及び、前記ハンドオーバ元の基地局及び候補の組み合わせにおける前記ハンドオーバ前の消費電力量の総和の変化量及び前記ハンドオーバ後の消費電力量の総和の変化量を算出し、前記算出したトラフィック量の変化量及び消費電力量の変化量を前記メモリに格納し、
前記算出したトラフィック量の変化量及び消費電力量の変化量に基づいて、前記複数の候補の中から、前記ハンドオーバ先の基地局を決定することを特徴とする基地局。
【請求項９】
請求項８に記載の基地局であって、
前記決定したハンドオーバ先の基地局を、前記移動局に通知するハンドオーバ部を有することを特徴とする基地局。
【請求項１０】
請求項９に記載の基地局であって、
前記基地局は、他の基地局と接続するためのインタフェースを有し、
前記ハンドオーバ先決定部は、前記複数の候補から、前記インタフェースを介して、前記第２の測定値及び前記第２の推定値を取得することを特徴とする基地局。
【請求項１１】
請求項８に記載の基地局であって、
前記ハンドオーバ元の基地局は、前記基地局の消費電力量を測定する消費電力測定装置に接続し、
前記ハンドオーバ先決定部は、前記消費電力測定装置によって測定された前記ハンドオーバ元の基地局の消費電力量を含む前記第１の測定値を取得することを特徴とする基地局。
【請求項１２】
請求項８に記載の基地局であって、
前記ハンドオーバ先決定部は、
前記算出したトラフィック量の変化量Ｄｉｆｆ＿Ｔ、前記算出した消費電力量の変化量Ｄｉｆｆ＿Ｐ、候補を示す引数ｎ、トラフィック量の重みα、及び、消費電力量の重みβ及びオフセット値γを用い、評価値（α×（Ｄｉｆｆ＿Ｔ（ｎ））＋β×（−Ｄｉｆｆ＿Ｐ（ｎ））＋γ）を、前記ハンドオーバ元の基地局及び候補の組み合わせごとに算出し、
前記複数の候補の中から、前記算出した評価値が最も大きい候補を選択し、
前記選択した候補を、前記ハンドオーバ先の基地局に決定することを特徴とする基地局。
【請求項１３】
請求項１２に記載の基地局であって、
前記ハンドオーバ先決定部は、前記基地局が接続するコアネットワークから、前記重みα、前記重みβ及び前記オフセット値γの少なくとも一つを取得することを特徴とする基地局。
【請求項１４】
無線通信システムによる通信制御方法であって、
前記無線通信システムは、プロセッサとメモリと、を有し、
前記方法は、前記プロセッサが、基地局と無線によって通信する移動局のハンドオーバ先を決定するハンドオーバ先決定手順を含み、
前記ハンドオーバ先決定手順は、
前記プロセッサが、ハンドオーバ元の基地局におけるハンドオーバ前のトラフィック量及び消費電力量の第１の測定値と、前記ハンドオーバ元の基地局におけるハンドオーバ後のトラフィック量及び消費電力量の第１の推定値と、ハンドオーバする先の基地局の複数の候補におけるハンドオーバ前のトラフィック量及び消費電力量の第２の測定値と、前記複数の候補におけるハンドオーバ後のトラフィック量及び消費電力量の第２の推定値と、を取得する手順と、
前記プロセッサが、前記第１の測定値、前記第１の推定値、前記複数の第２の測定値及び前記複数の第２の推定値に基づいて、前記ハンドオーバ元の基地局及び候補の組み合わせにおける前記ハンドオーバ前のトラフィック量の総和と前記ハンドオーバ後のトラフィック量の総和との変化量、及び、前記ハンドオーバ元の基地局及び候補の組み合わせにおける前記ハンドオーバ前の消費電力量の総和の変化量及び前記ハンドオーバ後の消費電力量の総和の変化量を算出し、前記算出したトラフィック量の変化量及び消費電力量の変化量を前記メモリに格納する手順と、
前記プロセッサが、前記算出したトラフィック量の変化量及び消費電力量の変化量に基づいて、前記複数の候補の中から、前記ハンドオーバ先の基地局を決定する手順と、を含むことを特徴とする通信制御方法。
【請求項１５】
請求項１４に記載の通信制御方法であって、
前記無線通信システムは、前記移動局と無線によって通信する基地局を含み、
前記基地局は、前記プロセッサと、前記メモリとを有し、
前記方法は、前記プロセッサが、前記決定したハンドオーバ先の基地局を、前記移動局に通知するハンドオーバ手順を含むことを特徴とする通信制御方法。
【発明の詳細な説明】
【技術分野】
【０００１】
本発明は、無線通信システム、基地局、及び、通信制御方法に関する。
【背景技術】
【０００２】
現在、世界の多くの移動体通信事業者が第三世代移動体通信システムによる商用サービスを展開している。さらに、移動体通信事業者は、スマートフォン及びタブレット端末などの多機能端末の普及、並びに、サービスの多様化に対応するため、通信のさらなる高速化及び高品質化を実現するため第四世代移動体通信システムであるＬＴＥ（Ｌｏｎｇ  Ｔｅｒｍ  Ｅｖｏｌｕｔｉｏｎ）システムの導入を急速に進めている。
【０００３】
このような状況の中で、近年、第五世代移動体通信システムを適用した技術の研究、及び、標準化に向けた活動が活発化している。第五世代移動体通信システムでは、システムのトラフィック量が従来システムの約千倍以上になると想定されている。このため、第五世代移動体通信システムの実現に向けて、無線リソースの有効活用、膨大なトラフィックの分散、及び、無線通信システムの消費電力量の低減への関心がさらに高まってきている。
【０００４】
従来、無線リソースの有効活用及び膨大なトラフィックを分散する方法として、スモールセルと呼ばれる半径数メートルから数百メートルの小さなエリアを生成する小型基地局を点在させる方法がある。スモールセルは、マクロセル（半径数百メートルから十数キロメートルの大きなエリアを生成する基地局）間の境界付近、ビル、又は地下などの電波不感エリアをカバーすることできるため、無線通信のカバレッジエリア拡大を可能とする。
【０００５】
また、基地局がマクロセルで通信している移動局をスモールセルに移動させることで、マクロセルへのアクセスを分散し、トラフィックを分散させることが可能となる。
【０００６】
従来、無線通信システムの消費電力量を低減する方法には、基地局の送信電力を徐々に低減し、当該基地局と通信している移動局を強制的に他の基地局へハンドオーバさせ、当該基地局と通信している移動局がゼロとなった場合に、当該基地局を省電力動作に切り替える方法がある。
【０００７】
前述のように、無線リソースの有効活用又は膨大なトラフィック分散の観点では、特定セルの移動局を他のセルに分散させることにより実現され、無線通信システムの消費電力量低減の観点では、移動局を他のセルへ集約することで実現されている。このため、前述の方法では、無線リソースの有効活用、膨大なトラフィック分散、及び、無線通信システムの消費電力量低減を実現することが困難である。
【０００８】
このような課題を解決する技術が従来提案されている（例えば、特許文献１参照）。特許文献１は、移動局がハンドオーバする場合に、ハンドオーバ制御装置内のハンドオーバ制御部で、ハンドオーバ元基地局（サービングセル）と複数のハンドオーバ先候補基地局（ターゲットセル候補）との各ペアのエネルギー効率（消費電力に対する総スループットの比）を、ハンドオーバ前とハンドオーバ後とのそれぞれについて算出し、算出した各ペアのハンドオーバ前とハンドオーバ後とのエネルギー効率の差が最も大きいターゲットセルをハンドオーバ先として決定する方法を示す。
【先行技術文献】
【特許文献】
【０００９】
【特許文献１】特開２０１３−２１４８３８号公報
【発明の概要】
【発明が解決しようとする課題】
【００１０】
特許文献１の技術によって、無線通信システムにおける無線リソースの有効活用と消費電力量の低減を実現していた。
【００１１】
しかしながら、前述のような従来技術におけるハンドオーバ手法は、マクロセル及びスモールセルなど用途及び性能が異なるセルを生成する基地局がシステムに混在する場合に、必ずしも効果的な手法ではない。
【００１２】
具体的には、マクロセルの通信速度とスモールセルの通信速度とが同等の変化をした場合、セル単独で見たエネルギー効率は、スモールセルにおけるエネルギー効率の方が、マクロセルにおけるエネルギー効率よりも向上しているかのように見える。しかしながら、セル単独ではなく、システム全体のエネルギー効率を考慮した場合、マクロセルの場合もスモールセルの場合もエネルギー効率の変化量は同じである。
【００１３】
そのため、従来技術のように、サービングセルとターゲットセル候補とのエネルギー効率に基づいて移動局がハンドオーバした場合、ターゲットセル候補がマクロセルである場合に比べ、ターゲットセル候補がスモールセルである場合の方が、ハンドオーバした後にエネルギー効率が上がるように見える傾向があるが、複数の基地局により構成されるシステム全体で見た場合のエネルギー効率は最大とならない可能性がある。
【００１４】
前述のような課題を解決するために、従来技術のようなセルにおけるエネルギー効率に基づいたハンドオーバ方法ではなく、ハンドオーバ前後のサービングセルのトラフィック量及び消費電力量とハンドオーバ前後のターゲットセル候補のトラフィック量及び消費電力量とを用いて、システム全体のエネルギー効率が向上するように、ハンドオーバ先のターゲットセルを決定する方法を実現することが必要である。
【００１５】
本発明は、以上の点に鑑み、サービングセルとターゲットセルとのそれぞれのトラフィック量及び消費電力量の量から、無線リソースを有効活用し、無線通信システム全体の消費電力量を低減するような、移動局のハンドオーバを実現する方法を提供することを目的とする。また、本発明は、複数の基地局により構成される無線通信システム全体で見たエネルギー効率の向上を図ることを目的のひとつとする。
【００１６】
なお、以下に示す無線通信システムとは、複数の基地局により構成される無線通信システム全体を示す。上記した以外の課題、構成及び効果は、以下の実施形態の説明により明らかにされる。
【課題を解決するための手段】
【００１７】
上記課題を解決するために、本発明は、無線通信システムであって、メモリと、基地局と無線によって通信する移動局のハンドオーバ先を決定するハンドオーバ先決定部と、を有し、前記ハンドオーバ先決定部は、ハンドオーバ元の基地局におけるハンドオーバ前のトラフィック量及び消費電力量の第１の測定値と、前記ハンドオーバ元の基地局におけるハンドオーバ後のトラフィック量及び消費電力量の第１の推定値と、ハンドオーバする先の基地局の複数の候補におけるハンドオーバ前のトラフィック量及び消費電力量の第２の測定値と、前記複数の候補におけるハンドオーバ後のトラフィック量及び消費電力量の第２の推定値と、を取得し、前記第１の測定値、前記第１の推定値、前記複数の第２の測定値及び前記複数の第２の推定値に基づいて、前記ハンドオーバ元の基地局及び候補の組み合わせにおける前記ハンドオーバ前のトラフィック量の総和と前記ハンドオーバ後のトラフィック量の総和との変化量、及び、前記ハンドオーバ元の基地局及び候補の組み合わせにおける前記ハンドオーバ前の消費電力量の総和の変化量及び前記ハンドオーバ後の消費電力量の総和の変化量を算出し、前記算出したトラフィック量の変化量及び消費電力量の変化量を前記メモリに格納し、前記算出したトラフィック量の変化量及び消費電力量の変化量に基づいて、前記複数の候補の中から、前記ハンドオーバ先の基地局を決定する。
【発明の効果】
【００１８】
本発明によれば、無線リソースを有効活用し、かつ、無線通信システム全体の消費電力量をより低減するような、移動局のハンドオーバを実現する。上記した以外の課題、構成及び効果は、以下の実施形態の説明により明らかにされる。
【図面の簡単な説明】
【００１９】
【図１】実施例１の無線通信システムの例を示すブロック図である。
【図２】実施例１の無線通信システムにおける基地局と移動局とを示すブロック図である。
【図３】実施例１の基地局管理装置のハードウェア構成を示すブロック図である。
【図４】実施例１の基地局の機能を示す機能ブロック図を示す。
【図５】実施例１の無線品質情報テーブルを示す説明図である。
【図６】実施例１のセル情報テーブルを示す説明図である。
【図７】実施例１のトラフィック情報テーブルを示す説明図である。
【図８】実施例１の消費電力情報テーブルを示す説明図である。
【図９】実施例１のハンドオーバの準備処理を示すシーケンス図である。
【図１０】実施例１のハンドオーバ先決定処理を示すフローチャートである。
【図１１】実施例２のハンドオーバの準備処理を示すシーケンス図である。
【図１２】実施例３の基地局の機能を示す機能ブロック図である。
【図１３】実施例３のハンドオーバの準備処理を示すシーケンス図である。
【図１４】実施例３の消費電力量を収集する処理を示すシーケンス図である。
【図１５】実施例４のハンドオーバの準備処理を示すシーケンス図である。
【図１６】実施例５のハンドオーバの準備処理を示すシーケンス図である。
【発明を実施するための形態】
【００２０】
本発明を実施する為の形態について、いくつかの実施例に分けて説明する。これらの実施例は、個別で実施してもよいが、組み合わせて実施してもよい。以下の説明において、図中で同じ符号番号がついたものは、同様の動作を行うため、説明を省略する。
【実施例１】
【００２１】
実施例１の無線通信システムは、ハンドオーバ後の無線通信システムにおけるエネルギー効率が最も高くなるターゲットセルの決定方法を提供する。
【００２２】
以下に、基地局１０１が生成するセル種別を考慮せずに、ハンドオーバ先のセルを決定する方法を説明する。
【００２３】
ここで、無線通信システムに、生成するセルのセル半径が異なる基地局が混在している状況を考える。マクロセルを生成する基地局は、セル半径の大きなエリアを生成するため、大電力で下り送信を行う。また、マクロセルを生成する基地局は、収容可能な移動局の数及びシステムの最大通信速度が大きく、装置が処理するデータ量も多い。そのため、マクロセルの基地局は装置規模が大きく、消費電力量も多い。
【００２４】
一方で、スモールセルを生成する基地局は、セル半径の小さなエリアを生成するため、マクロセルに比べ小さい電力で下り送信を行う。また、スモールセルを生成する基地局は、収容可能な移動局の数及びシステムの最大通信速度がマクロセルに比べ小さいため、装置が処理するデータ量も少ない。
【００２５】
そのため、スモールセルを生成する基地局は装置規模がマクロセルに比べ小さく、消費電力量もマクロセルに比べ少ない。
【００２６】
例えば、基地局１は、下り通信速度が１４５Ｍｂｐｓであり、かつ、消費電力が９９５Ｗであるマクロセルを生成し、基地局２は、下り通信速度が７０Ｍｂｐｓであり、消費電力が２９５Ｗであるスモールセルを生成する。マクロセルとスモールセルとは、共に１Ｍｂｐｓのトラフィック量あたり１Ｗの消費電力量が必要である。
【００２７】
このとき、マクロセル及びスモールセルの単独のエネルギー効率は、それぞれ０．１４６Ｍｂｐｓ／Ｗ、及び、０．２３７Ｍｂｐｓ／Ｗである。
【００２８】
次に、マクロセルの下り通信速度が、ハンドオーバにより５Ｍｂｐｓ増加した場合を考える。このとき、マクロセルの下り通信速度は１５０Ｍｂｐｓであり、消費電力は１０００Ｗであり、エネルギー効率は０．１５０である。そして、変化前と変化後とでマクロセル単独のエネルギー効率は０．００４Ｍｂｐｓ増加したように見える。
【００２９】
さらに、スモールセルの下り通信速度が、ハンドオーバにより５Ｍｂｐｓ増加した場合を考える。このとき、スモールセルの下り通信速度は７５Ｍｂｐｓであり、消費電力は３００Ｗであり、エネルギー効率は０．２５０である。そして、変化前と変化後とでスモールセル単独のエネルギー効率は、０．０１３Ｍｂｐｓ増加したように見える。
【００３０】
このように、マクロセルとスモールセルとのトラフィック量が同等の変化をした場合も、セル単独で見たエネルギー効率は、スモールセルのエネルギー効率がより向上しているように見える。しかしながら、セル単独ではなく、システム全体を見た場合、マクロセルの場合もスモールセルの場合もエネルギー効率の変化量は同じである。
【００３１】
そのため、サービングセルとターゲットセル候補とのエネルギー効率に変化に基づいてハンドオーバ先を決定する方法を用いた場合、マクロセルをハンドオーバ先に決定した場合に比べ、スモールセルをハンドオーバ先に決定した場合の方が、エネルギー効率は向上するように見える傾向があり、サービングセルとターゲットセルとのペアで見た場合のエネルギー効率は最も大きいように見える。しかし、複数の基地局により構成される無線通信システム全体で見た場合のエネルギー効率は最大とならない可能性がある。
【００３２】
以下に示す実施例では、サービングセルを生成する基地局は、移動局がハンドオーバする必要が発生した場合、ひとつ以上のターゲットセル候補の中から、無線通信システムのエネルギー効率を最も高くする事が出来るターゲットセルを決定する。
【００３３】
より具体的には、実施例１の基地局は、サービングセルの基地局のトラフィック情報及び消費電力情報の増減量（変化量）とターゲットセル候補のトラフィック情報及び消費電力情報の増減量（変化量）とに基づいて、無線通信システムにおけるエネルギー効率の向上効果を示す評価関数を生成し、ハンドオーバ後の評価関数値が最も大きくなるターゲットセル候補をハンドオーバ先として決定する。
【００３４】
図１は、実施例１の無線通信システムの例を示すブロック図である。
【００３５】
図１に示す通信システムは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の構成例である。図１に示す通信システムは、上位装置１０４、及び、複数の基地局（ｅＮＢ）１０１（１０１ａ、１０１ｂ）を含む。基地局１０１は、無線によって移動局１０３と通信する。
【００３６】
上位装置１０４は、ＯＡＭ（Ｏｐｅｒａｔｉｏｎ  Ａｎｄ  Ｍａｉｎｔｅｎａｎｃｅ）装置１１０、ＭＭＥ１１１、Ｓ−ＧＷ（Ｓｅｒｖｉｎｇ−ＧａｔｅＷａｙ）１１２、Ｐ−ＧＷ（Ｐａｃｋｅｔ  Ｄａｔａ  Ｎｅｔｗｏｒｋ−ＧａｔｅＷａｙ）１１３、及び、ＳＯＮサーバ（Ｓｅｌｆ  Ｏｒｇａｎｉｚｉｎｇ  Ｎｅｔｗｏｒｋ  Ｓｅｒｖｅｒ）１１４の一部の機能、又は、すべての機能を含む。
【００３７】
上位装置１０４は、これらの複数の機能を一つの計算機によって実装してもよいし、複数の物理的計算機又は複数の仮想計算機によって実装してもよい。上位装置１０４は、後述するコアネットワーク１０２に設置される。
【００３８】
ＯＡＭ装置１１０は、無線通信システムの保守及び管理を行うための機能を有する。
【００３９】
ＭＭＥ（Ｍｏｂｉｌｉｔｙ  Ｍａｎａｇｅｍｅｎｔ  Ｅｎｔｉｔｙ）１１１は、移動局１０３による信号を確立するための制御信号を中継又は処理する機能を有する。Ｓ−ＧＷ１１２は、移動局１０３と他の移動局１０３との通信、又は、移動局１０３と汎用ネットワーク（インターネット）との通信に用いられるユーザデータを中継する機能を有する。
【００４０】
Ｐ−ＧＷ１１３は、ユーザデータを汎用ネットワークに転送し、汎用ネットワークから送信されたユーザデータをＳ−ＧＷ１１２に転送する機能を有する。ＳＯＮサーバ１１４は、移動局１０３又は基地局１０１からデータを収集し、ネットワークを最適化する機能を有する。
【００４１】
移動局１０３をハンドオーバさせる方法には、図１に示すように、基地局１０１（１０１ａ）が、複数のＭＭＥ１１１を介して、他の基地局１０１（１０１ｂ）に移動局１０３をハンドオーバさせる方法がある。また、複数の基地局１０１が一つのＭＭＥ１１１に接続し、一つの基地局１０１が、当該ＭＭＥ１１１に接続される他の基地局１０１に移動局１０３をハンドオーバさせる方法がある。
【００４２】
Ｅ−ＵＴＲＡＮにおけるハンドオーバは、大きく分けて、このような二つの方法によって行われる。二つの方法は、ベアラの張り替えなどの手続きが異なるが、移動局１０３と基地局１０１ａとの間の処理が同じである。
【００４３】
図１に示す基地局１０１は、基地局管理装置（ＥＭＳ：Ｅｌｅｍｅｎｔ  Ｍａｎａｇｅｍｎｔ  Ｓｙｓｔｅｍ）１００の機能を有する。ただし、実施例１の基地局管理装置１００は、上位装置１０４と基地局１０１と以外の独立した計算機に実装されてもよい。基地局管理装置１００は、本実施例のハンドオーバ先のターゲットセルを決定する機能を有する。
【００４４】
図２は、実施例１の無線通信システムにおける基地局１０１と移動局１０３とを示すブロック図である。
【００４５】
図２に示す無線通信システムは、複数の基地局１０１と、基地局１０１に接続されるコアネットワーク１０２とを含む。コアネットワーク１０２は、上位装置１０４を備える。基地局１０１は、セル１０５を生成する。
【００４６】
複数の基地局１０１は、同じ半径のセル１０５を生成してもよいし、異なる半径のセル１０５を生成してもよい。各基地局１０１は、自基地局１０１が生成したセル１０５によってカバーした領域に含まれる移動局１０３と、無線によって通信する。
【００４７】
図２に示す基地局１０１ａは、移動局１０３とユーザデータを通信するためのサービングセル１０５ａを生成する。また、基地局１０１ｂは、基地局１０１ａと通信する移動局１０３が、ハンドオーバする先の候補であるターゲットセル１０５ｂを生成する。
【００４８】
図３は、実施例１の基地局管理装置１００のハードウェア構成を示すブロック図である。
【００４９】
基地局管理装置１００のハードウェアは、基地局１０１のハードウェアに増設されて設置されてもよい。また、基地局管理装置１００の機能が、基地局１０１に備わる図３に示すようなハードウェアを用いて実装されてもよい。基地局管理装置１００は、例えば、メモリ２０１と、プロセッサ２０２と、インタフェース（Ｉ／Ｆ）部２０３と、論理回路２０４とを有する計算機である。
【００５０】
基地局管理装置１００の機能は、メモリ２０１に格納されたプログラムをプロセッサ２０２が実行することによって、実装される。プロセッサ２０２は、例えば、ＣＰＵ又はＤＳＰであり、演算部及び制御部である。メモリ２０１は、不揮発性の記憶素子であるＲＯＭ及び揮発性の記憶素子であるＲＡＭを含む。
【００５１】
メモリ２０１におけるＲＯＭは、不変のプログラム（例えば、ＢＩＯＳ）などを格納する。メモリ２０１におけるＲＡＭは、ＤＲＡＭ（Ｄｙｎａｍｉｃ  Ｒａｎｄｏｍ  Ａｃｃｅｓｓ  Ｍｅｍｏｒｙ）のような高速かつ揮発性の記憶素子であり、補助記憶装置（不図示）に格納されたプログラム及びプログラムの実行時に使用されるデータを一時的に格納する。具体的には、メモリ２０１は、図４に後述する機能ブロックを実装するためのプログラムを格納する。
【００５２】
インタフェース部２０３は、所定のプロトコルに従って、他の装置との通信を制御するネットワークインタフェース装置である。
【００５３】
プロセッサ２０２が実行するプログラムは、リムーバブルメディア（ＣＤ−ＲＯＭ、フラッシュメモリなど）又はネットワークを介して基地局管理装置１００に提供され、非一時的記憶媒体である補助記憶装置に格納される。このため、基地局管理装置１００は、リムーバブルメディアからデータを読み込むインタフェースを有してもよい。
【００５４】
基地局管理装置１００は、物理的に一つの計算機上で、又は、論理的又は物理的に複数の計算機上で構成される計算機システムであり、前述したプログラムが、同一の計算機上で別個のスレッドで動作してもよく、複数の物理的計算機資源上に構築された仮想計算機上で動作してもよい。
【００５５】
なお、基地局管理装置１００が有する補助記憶装置は、例えば、磁気記憶装置（ＨＤＤ）、フラッシュメモリ（ＳＳＤ）等の大容量かつ不揮発性の記憶装置であってもよい。
【００５６】
図４は、実施例１の基地局１０１の機能を示す機能ブロック図を示す。
【００５７】
基地局１０１は、機能部として、ネットワークＩ／Ｆ部２１０、送信部２１１、受信部２１２、ハンドオーバ判定部２１３、ハンドオーバ先決定部２１４、トラフィック測定部２１５、消費電力測定部２１６、トラフィック推定部２１７、消費電力推定部２１８及び記憶部２２０を有する。
【００５８】
ネットワークＩ／Ｆ部２１０は、上位装置１０４、又は他の基地局１０１との通信を行う為のインタフェースを管理する機能である。基地局１０１外部に設置された消費電力測定装置と、基地局１０１とが接続する場合、ネットワークＩ／Ｆ部２１０は、消費電力測定装置との通信を行うためのインタフェースの機能を有する。
【００５９】
送信部２１１は、誤り訂正符号化及び変調処理など、無線規格に従った信号処理を行い移動局１０３へ無線信号を送信する。
【００６０】
受信部２１２は、移動局１０３からの無線信号を受信し、復調処理及び誤り訂正復号などを行う。
【００６１】
ハンドオーバ判定部２１３は、例えば、移動局１０３から受信した無線品質情報と、ネットワークＩ／Ｆ部２１０を介して上位装置１０４又は他の基地局１０１から受信した情報とに基づいて、後述する図９のハンドオーバ準備における処理（特に、シーケンス１００４）を実行する。
【００６２】
ハンドオーバ先決定部２１４は、後述するシーケンス１０１１ａに示す処理において、ハンドオーバ先のターゲットセル１０５ｂを決定する。ハンドオーバ先決定部２１４は、基地局管理装置１００の機能である。
【００６３】
トラフィック測定部２１５は、後述するシーケンス１００６ａとシーケンス１００８ａとに示す処理において、それぞれの基地局１０１のトラフィック量を測定する。
【００６４】
消費電力測定部２１６は、後述するシーケンス１００６ａとシーケンス１００８ａとに示す処理において、それぞれの基地局１０１の消費電力量を測定する。
【００６５】
トラフィック推定部２１７は、後述するシーケンス１００７とシーケンス１００９とに示す処理において、基地局１０１におけるトラフィック量を推定する。
【００６６】
消費電力推定部２１８は、後述するシーケンス１００７とシーケンス１００９とに示す処理において、基地局１０１の消費電力量を推定する。
【００６７】
記憶部２２０は、データとして、無線品質情報テーブル（Ｒａｄｉｏ  Ｑｕａｌｉｔｙ  Ｒｅｐｏｒｔ  Ｔａｂｌｅ）２０１１、セル情報テーブル（Ｃｅｌｌ  Ｉｎｆｏｒｍａｔｉｏｎ  Ｔａｂｌｅ）２０１２、トラフィック情報テーブル（Ｌｏａｄ  Ｉｎｆｏｒｍａｔｉｏｎ  Ｔａｂｌｅ）２０１３、及び、消費電力情報テーブル（Ｐｏｗｅｒ  Ｃｏｎｓｕｍｐｔｉｏｎ  Ｉｎｆｏｒｍａｔｉｏｎ  Ｔａｂｌｅ）２０１４を有する。
【００６８】
無線品質情報テーブル２０１１は、移動局１０３によって測定された無線品質情報を格納する。この無線品質情報は、移動局１０３と基地局１０１との間の無線通信の品質を示す。セル情報テーブル２０１２は、基地局１０１が生成するセル１０５に関する情報を格納する。
【００６９】
トラフィック情報テーブル２０１３は、基地局１０１のトラフィック情報を格納する。消費電力情報テーブル２０１４は、基地局１０１の消費電力を示す情報を格納する。
【００７０】
基地局１０１の機能部は、プロセッサ２０２がプログラムを実行することによって実現されても良く、また、論理回路２０４を組み合わせた専用ハードウェアによって実現されてもよい。
【００７１】
基地局管理装置１００の機能部は、ハンドオーバ先決定部２１４、及び、記憶部２２０である。基地局１０１が基地局管理装置１００の機能部を有することによって、基地局管理装置１００がコアネットワークに設置されるよりも、基地局１０１とコアネットワークとの間のトラフィックが低減する。
【００７２】
図５は、実施例１の無線品質情報テーブル２０１１を示す説明図である。
【００７３】
無線品質情報テーブル２０１１は、ＵＥＩＤ２０１１１、及び、無線品質２０１１２を含む。ＵＥＩＤ２０１１１は、移動局１０３の識別子を示す。無線品質２０１１２は、基地局１０１の各々と移動局１０３との無線品質を示し、基地局１０１によって生成されるセル１０５における移動局１０３の無線通信の通信品質を示す。なお、本実施例において基地局１０１と基地局１０１によって生成されるセル１０５とは、１対１の関係である。
【００７４】
図５に示す無線品質２０１１２は、ＲＳＲＰ（Ｒｅｆｅｒｅｎｃｅ  Ｓｉｇｎａｌ  Ｒｅｃｅｉｖｅｄ  Ｐｏｗｅｒ）を示す。ＲＳＲＰは、参照信号の受信電力強度である。ただし、無線品質２０１１２は、例えば、ＲＳＲＱ（Ｒｅｆｅｒｅｎｃｅ  Ｓｉｇｎａｌ  Ｒｅｃｅｉｖｅｄ  Ｑｕａｌｉｔｙ）を示しても良く、移動局１０３と基地局１０１との間の無線通信の品質を定量的に示す指標であれば、いかなる値を含んでもよい。ハンドオーバ判定部２１３は、移動局１０３から取得した無線品質情報を、無線品質２０１１２に格納する。
【００７５】
無線品質２０１１２は、サービングセル１０５ａのＲＳＲＰと、ターゲットセル１０５ｂのＲＳＲＰとを含む。無線品質２０１１２は、サービングセル１０５ａのＲＳＲＰとして、ユーザデータを送受信する基地局１０１との通信のＲＳＲＰを含む。また、無線品質２０１１２は、ターゲットセル１０５ｂのＲＳＲＰとして、移動局１０３が電波を受信可能な基地局１０１との通信のＲＳＲＰを含む。
【００７６】
なお、サービングセル１０５ａとは、移動局１０３がユーザデータを通信する基地局１０１によって生成されるセル１０５であり、ターゲットセル１０５ｂとは、移動局１０３がハンドオーバする先の基地局１０１の候補によって生成されるセル１０５である。
【００７７】
図６は、実施例１のセル情報テーブル２０１２を示す説明図である。
【００７８】
セル情報テーブル２０１２は、セルＩＤ２０１２１、セル種別（タイプ）２０１２２、送信電力２０１２３、最大通信速度２０１２４、最大消費電力２０１２５、及び、最大接続可能ユーザ数２０１２６を含む。セルＩＤ２０１２１は、基地局１０１が生成するセル１０５の識別子を含む。また、セル１０５の識別子は、基地局１０１に一意であるため、セルＩＤ２０１２１は、基地局１０１を示す。
【００７９】
セル種別２０１２２は、セル１０５の種別を示し、例えば、マクロセル及びスモールセルを示す。送信電力２０１２３は、セルＩＤ２０１２１が示す基地局１０１の送信電力を示す。最大通信速度２０１２４は、セルＩＤ２０１２１が示す基地局１０１が可能な通信速度の最大値を示す。
【００８０】
最大消費電力２０１２５は、セルＩＤ２０１２１が示す基地局１０１による通信における最大消費電力を示す。最大接続可能ユーザ数２０１２６は、セルＩＤ２０１２１が示す基地局１０１が接続できる移動局１０３の数を示す。
【００８１】
図７は、実施例１のトラフィック情報テーブル２０１３を示す説明図である。
【００８２】
トラフィック情報テーブル２０１３は、セルＩＤ２０１３１、ハンドオーバ前トラフィック量２０１３２及びハンドオーバ後トラフィック量２０１３３を含む。セルＩＤ２０１３１は、セル１０５の識別子を含み、セル情報テーブル２０１２のセルＩＤ２０１２１に対応する。
【００８３】
ハンドオーバ前トラフィック量２０１３２は、セルＩＤ２０１３１が示す基地局１０１において、ハンドオーバが発生する前のトラフィック量の測定値を示す。また、ハンドオーバ後トラフィック量２０１３３は、セルＩＤ２０１３１が示す基地局１０１において、ハンドオーバが発生した後のトラフィック量の推定値を示す。
【００８４】
ここで、トラフィック量の推定値とは、ある移動局１０３がハンドオーバする場合に、移動局１０３を各セル１０５へハンドオーバさせた場合のハンドオーバ後のトラフィック量の推定値である。なお、測定値及び推定値は、瞬時値であってもよいし、予め定められた期間の平均値であってもよい。
【００８５】
図８は、実施例１の消費電力情報テーブル２０１４を示す説明図である。
【００８６】
消費電力情報テーブル２０１４は、セルＩＤ２０１４１、ハンドオーバ前消費電力２０１４２及びハンドオーバ後消費電力２０１４３を含む。セルＩＤ２０１４１は、セル１０５の識別子を含み、セル情報テーブル２０１２のセルＩＤ２０１２１に対応する。
【００８７】
ハンドオーバ前消費電力２０１４２は、セルＩＤ２０１３１が示す基地局１０１において、ハンドオーバが発生する前の消費電力の測定値を示す。ハンドオーバ後消費電力２０１４３は、セルＩＤ２０１３１が示す基地局１０１において、ハンドオーバが発生した後の消費電力の推定値を示す。
【００８８】
ここで、消費電力量の推定値とは、ある移動局１０３がハンドオーバする場合に、移動局１０３を各セル１０５へハンドオーバさせた場合のハンドオーバ後の消費電力量の推定値である。なお、測定値及び推定値は、瞬時値であってもよいし、予め定められた期間の平均値であってもよい。
【００８９】
なお、ＵＥＩＤ２０１１１、並びに、セルＩＤ２０１２１、２０１３１及び２０１４１の識別子は、予め割り当てられた番号及び記号などによって表現される。
【００９０】
図９は、実施例１のハンドオーバの準備処理を示すシーケンス図である。
【００９１】
図９は、移動局１０３と、移動局１０３とユーザデータを通信する基地局１０１ａと、ハンドオーバ先の候補である基地局１０１ｂとの間で行われるハンドオーバ準備処理とハンドオーバ処理を示す。基地局１０１ａは、サービングセル１０５ａを生成する。基地局１０１ｂは、ターゲットセル１０５ｂを生成する。
【００９２】
以下におけるサービングセル１０５ａは、基地局１０１ａと、当該基地局１０１ａが生成するサービングセル１０５ａ自体との両方を示す言葉であり、ターゲットセル１０５ｂは、当該基地局１０１ｂが生成するターゲットセル１０５ｂ自体との両方を示す言葉である。このため、例えば、基地局１０１ａが実行した処理は、サービングセル１０５ａが実行した処理と記載され、基地局１０１ｂが実行した処理は、ターゲットセル１０５ｂが実行した処理と記載される。
【００９３】
サービングセル１０５ａのハンドオーバ判定部２１３は、サービングセル１０５ａ及び少なくとも一つのターゲットセル１０５ｂから移動局１０３に送信された参照信号を用いて、サービングセル１０５ａ及びターゲットセル１０５ｂにおける無線品質を測定するように、移動局１０３に指示する（１００１）。無線品質とは、例えば、ＲＳＲＰ、及び、ＲＳＲＱである。
【００９４】
サービングセル１０５ａのハンドオーバ判定部２１３は、シーケンス１００３において測定値を報告する為の上りリソースを、移動局１０３に割り当てる（１００２：ＵＬ  Ａｌｌｏｃａｔｉｏｎ）。
【００９５】
移動局１０３は、参照信号を用いて測定したサービングセル１０５ａ及びターゲットセル１０５ｂにおける無線品質を、サービングセル１０５ａに通知する（１００３）。サービングセル１０５ａのハンドオーバ判定部２１３は、移動局１０３から通知されたサービングセル１０５ａ及びターゲットセル１０５ｂにおける無線品質の測定結果を無線品質情報テーブル２０１１に格納する。
【００９６】
サービングセル１０５ａのハンドオーバ判定部２１３は、無線品質情報テーブル２０１１が示すサービングセル１０５ａの無線品質に基づいて、移動局１０３をハンドオーバさせるかを判定する（１００４）。ハンドオーバ判定部２１３は、例えば、サービングセル１０５ａの無線品質が、予め定められたハンドオーバ判定基準値以下である場合、移動局１０３をハンドオーバさせると決定する。無線品質は、ＲＳＲＰであってもよいし、ＲＳＲＱであってもよい。
【００９７】
ハンドオーバさせると決定した場合、サービングセル１０５ａのハンドオーバ判定部２１３は、無線品質情報テーブル２０１１が示すターゲットセル１０５ｂの無線品質に基づいて、ハンドオーバ先の候補となるターゲットセル１０５ｂを選択する。
【００９８】
ハンドオーバ判定部２１３は、例えば、サービングセル１０５ａ以外のセル１０５から、無線品質が予め定められたハンドオーバ選定基準値以上であるセル１０５を、無線品質情報テーブル２０１１を用いて特定し、ハンドオーバ先のターゲットセル１０５ｂの候補として特定したセル１０５を選択する。ハンドオーバ判定部２１３は、ターゲットセル１０５ｂの候補を選択するために、無線品質として、ＲＳＲＰを用いてもよいし、ＲＳＲＱを用いてもよい。
【００９９】
サービングセル１０５ａのハンドオーバ判定部２１３は、ハンドオーバさせると決定された移動局１０３のハンドオーバ前のトラフィック量及び消費電力量の測定値と、当該移動局１０３のハンドオーバ後のトラフィック量及び消費電力量の推定値を、選択したターゲットセル１０５ｂに要求する（１００５ａ）。
【０１００】
実施例１のサービングセル１０５ａのハンドオーバ判定部２１３は、例えば、基地局１０１を直接接続する基地局間インタフェース（例えば、Ｅ−ＵＴＲＡＮのＸ２インタフェース）を用いて、測定値及び推定値を要求する。これによって、サービングセル１０５ａは、コアネットワークにおけるトラフィックを増加させずに、情報を速やかに要求できる。
【０１０１】
また、ハンドオーバ判定部２１３は、シーケンス１００５ａにおいて、推定値の算出に必要な情報（例えば、移動局１０３とターゲットセル１０５ｂとの通信の無線品質）を、無線品質情報テーブル２０１１等から取得し、ターゲットセル１０５ｂに通知する。サービングセル１０５ａとターゲットセル１０５ｂとが直接接続するインタフェースを備える場合、ハンドオーバ判定部２１３は、このインタフェースを用いてシーケンス１００５ａにおける要求と通知とを送信してもよい。
【０１０２】
なお、サービングセル１０５ａからターゲットセル１０５ｂへの通知は、Ｅ−ＵＴＲＡＮにおける、Ｒｅｓｏｕｒｃｅ  Ｓｔａｔｕｓ  Ｒｅｐｏｒｔｉｎｇを用いることが望ましい。
【０１０３】
シーケンス１００５ａの後、サービングセル１０５ａのトラフィック測定部２１５及び消費電力測定部２１６は、移動局１０３のハンドオーバ前の基地局１０１ａにおけるトラフィック量と消費電力量とを取得する（１００６ａ）。トラフィック測定部２１５は、例えば、移動局１０３のハンドオーバ前の基地局１０１ａが送信するパケットの数とパケット長とを測定し、測定したパケットの数とパケット長とを乗算した結果をトラフィック量として取得してもよい。
【０１０４】
また、消費電力測定部２１６は、例えば、基地局１０１ａに流れる単位時間あたりの電流量を測定することにより、消費電力を取得してもよい。
【０１０５】
また、トラフィック測定部２１５及び消費電力測定部２１６は、トラフィック量と消費電力量として、瞬時値を取得してもよいし、予め定められた期間の平均値を取得してもよい。サービングセル１０５ａのトラフィック測定部２１５及び消費電力測定部２１６は、取得したトラフィック量及び消費電力量をトラフィック情報テーブル２０１３と消費電力情報テーブル２０１４とにそれぞれ格納する。
【０１０６】
シーケンス１００６ａの後、サービングセル１０５ａのトラフィック推定部２１７及び消費電力推定部２１８は、移動局１０３のハンドオーバ後の基地局１０１ａのトラフィック量及び消費電力量を推定する（１００７）。トラフィック推定部２１７は、例えば、ハンドオーバ後に基地局１０１ａが送信するパケットの数とパケット長とを用いて、ハンドオーバ後の基地局１０１ａが送信するトラフィック量を推定する。
【０１０７】
消費電力推定部２１８は、例えば、トラフィック量に対する消費電力量を示す消費電力量推移テーブルをあらかじめ保持し、推定したハンドオーバ後のトラフィック量と消費電力量推移テーブルとから、ハンドオーバ後の消費電力量を推定してもよい。この消費電力量推移テーブルは、基地局１０１の性能に基づいてあらかじめ設定される。
【０１０８】
また、消費電力推定部２１８は、トラフィック量に対する消費電力量の推移を示す関数を保持し、この関数に基づいてハンドオーバ後の消費電力量を推定してもよい。この関数は、例えばトラフィック量を示すパラメータと、基地局１０１の性能を示すパラメータとを含んでもよい。基地局１０１の性能を示すパラメータとは、例えば、基地局１０１のＣＰＵ使用率、アンテナ数、及び、送信電力量等のパラメータである。
【０１０９】
そして、消費電力推定部２１８は、シーケンス１００７において消費電力量を推定する際にこれらのパラメータの値を基地局１０１から取得し、消費電力量を推定する関数に入力してもよい。これによって、消費電力推定部２１８は、トラフィック量と基地局１０１の性能とに基づいて、消費電力量を推定できる。
【０１１０】
基地局１０１は、生成するセル１０５の種別（マクロセル、及び、スモールセル等）に従って性能が異なる。このため、ハンドオーバ後の消費電力量を、基地局１０１の性能に従って算出することにより、サービングセル１０５ａは、後述の処理において、基地局１０１ごとに異なる消費電力量に従ってハンドオーバ先を決定することができる。
【０１１１】
サービングセル１０５ａのトラフィック推定部２１７及び消費電力推定部２１８は、トラフィック量と消費電力量との推定結果をトラフィック情報テーブル２０１３と消費電力情報テーブル２０１４にそれぞれ格納する。
【０１１２】
ターゲットセル１０５ｂがシーケンス１００５ａにおける要求を受信した場合、ターゲットセル１０５ｂのトラフィック測定部２１５及び消費電力測定部２１６は、移動局１０３をハンドオーバさせる前の基地局１０１ｂにおけるトラフィック量と消費電力量とを取得する（１００８ａ）。トラフィック量と消費電力量とを取得する方法は、シーケンス１００６ａと同じである。
【０１１３】
シーケンス１００８ａの後、ターゲットセル１０５ｂのトラフィック推定部２１７及び消費電力推定部２１８は、移動局１０３をハンドオーバさせた後の基地局１０１ｂのトラフィック量と消費電力量とを推定する（１００９）。
【０１１４】
ターゲットセル１０５ｂのトラフィック推定部２１７は、例えば、ターゲットセル１０５ｂから移動局１０３への通信の無線品質（シーケンス１００５ａにおいて受信）を用い、トラフィック量の増加量を推定する。そして、トラフィック推定部２１７は、移動局１０３をハンドオーバさせる前の基地局１０１ｂのトラフィック量に、推定した増加量を加算した結果を、推定したトラフィック量として取得する。
【０１１５】
また、シーケンス１００９において消費電力推定部２１８は、シーケンス１００７と同じく、ターゲットセル１０５ｂの基地局１０１ｂの性能と、推定したトラフィック量とを用いて、消費電力量を推定する。
【０１１６】
シーケンス１００９の後、ターゲットセル１０５ｂのハンドオーバ判定部２１３は、シーケンス１００８ａで取得したトラフィック量及び消費電力量の測定値と、シーケンス１００９で推定したトラフィック量及び消費電力量の推定値と、ターゲットセル１０５ｂのセル情報とをサービングセル１０５ａに通知する（１０１０ａ）。
【０１１７】
ターゲットセル１０５ｂのハンドオーバ判定部２１３は、例えば、基地局１０１を直接接続する基地局間インタフェース（例えば、Ｅ−ＵＴＲＡＮのＸ２インタフェース）を用いて、測定値及び推定値を通知する。これによって、ターゲットセル１０５ｂは、コアネットワークにおけるトラフィックを増加させずに、情報を速やかに通知できる。
【０１１８】
ここで、セル情報とは、例えば、セル種別、基地局１０１ｂの送信電力、基地局１０１ｂの最大通信速度、基地局１０１ｂの最大消費電力、基地局１０１ｂの最大接続可能ユーザ数とである。
【０１１９】
サービングセル１０５ａのハンドオーバ判定部２１３は、ターゲットセル１０５ｂから通知された、ターゲットセル１０５ｂにおけるトラフィック量及び消費電力量の測定値と、トラフィック量及び消費電力量の推定値と、ターゲットセル１０５ｂのセル情報とをトラフィック情報テーブル２０１３、消費電力情報テーブル２０１４、及び、セル情報テーブル２０１２にそれぞれ格納する。
【０１２０】
なお、ターゲットセル１０５ｂからサービングセル１０５ａへの通知は、Ｅ−ＵＴＲＡＮにおける、Ｒｅｓｏｕｒｃｅ  Ｓｔａｔｕｓ  Ｒｅｐｏｒｔｉｎｇを用いることが望ましい。
【０１２１】
サービングセル１０５ａのハンドオーバ先決定部２１４は、取得した測定値及び推定値に基づいて、ターゲットセル１０５ｂの候補からハンドオーバ先となるターゲットセル１０５ｂを決定する（１０１１ａ）。具体的には、ハンドオーバ先決定部２１４は、ハンドオーバ前後のサービングセル１０５ａのトラフィック量及び消費電力量の測定値と、ハンドオーバ前後のターゲットセル１０５ｂのトラフィック量及び消費電力量の推定値とからハンドオーバ用の評価関数を生成し、生成したハンドオーバ用の評価関数の値が最も大きくなるターゲットセル１０５ｂをハンドオーバ先として決定する。
【０１２２】
図１０は、実施例１のハンドオーバ先決定処理を示すフローチャートである。
【０１２３】
ここでは、ハンドオーバ先候補のターゲットセル１０５ｂがＮ個あるとする。
【０１２４】
サービングセル２０１ａのハンドオーバ先決定部２１４は、まず、ハンドオーバ前のサービングセル１０５ａのトラフィック量とターゲットセル１０５ｂのトラフィック量との和、及び、ハンドオーバ前のサービングセル１０５ａの消費電力量とターゲットセル１０５ｂの消費電力量との和を、サービングセル１０５ａとターゲットセル１０５ｂとのすべての組合せについて算出する（３００１）。
【０１２５】
ここで、ハンドオーバ先決定部２１４は、ステップ３００１における算出のために以下の式（１）及び式（２）を用いる。
【０１２６】
Ｔ（ｎ，１）＝ｔ（１）＋ｔ（ｎ，１）      （１）
Ｐ（ｎ，１）＝ｐ（１）＋ｐ（ｎ，１）      （２）
【０１２７】
ｔ（ｘ）はサービングセル１０５ａのトラフィック量であり、ｔ（ｎ，ｘ）はターゲットセル１０５ｂのトラフィック量であり、Ｔ（ｎ，ｘ）はトラフィック量の和である。ｐ（ｘ）は、サービングセル１０５ａの消費電力量であり、ｐ（ｎ，ｘ）はターゲットセル１０５ｂのトラフィック量であり、Ｐ（ｎ，ｘ）は消費電力量の和である。
【０１２８】
また、引数ｘは、値がハンドオーバ前であるかハンドオーバ後であるかを示し、ｘ＝１である場合、ｔ（ｘ）、ｔ（ｎ，ｘ）、Ｔ（ｎ，ｘ）、ｐ（ｘ）、ｐ（ｎ，ｘ）、及び、Ｐ（ｎ，ｘ）は、ハンドオーバ前の値である。また、ｘ＝２である場合、ｔ（ｘ）、ｔ（ｎ，ｘ）、Ｔ（ｎ，ｘ）、ｐ（ｘ）、ｐ（ｎ，ｘ）、及び、Ｐ（ｎ，ｘ）は、ハンドオーバ後の値である。
【０１２９】
また、引数ｎは、ターゲットセル１０５ｂを示すための値であり、１からＮの整数である。
【０１３０】
ステップ３００１の後、サービングセル２０１ａのハンドオーバ先決定部２１４は、ハンドオーバ後のサービングセル１０５ａのトラフィック量とターゲットセル１０５ｂのトラフィック量との和、及び、ハンドオーバ後のサービングセル１０５ａの商品電力量とターゲットセル１０５ｂの消費電力量との和を、サービングセル１０５ａとターゲットセル１０５ｂとのすべての組合せについて算出する（３００２）。
【０１３１】
ここで、ハンドオーバ先決定部２１４は、ステップ３００２における算出のために以下の式（３）及び式（４）を用いる。
【０１３２】
Ｔ（ｎ，２）＝ｔ（２）＋ｔ（ｎ，２）      （３）
Ｐ（ｎ，２）＝ｐ（２）＋ｐ（ｎ，２）      （４）
【０１３３】
ステップ３００２の後、サービングセル２０１ａのハンドオーバ先決定部２１４は、ハンドオーバ前のトラフィック量の和とハンドオーバ後のトラフィック量の和との増減量（変化量）、及び、ハンドオーバ前の消費電力量の和とハンドオーバ後の消費電力量の和との増減量（変化量）を、サービングセル１０５ａとターゲットセル１０５ｂとのすべての組合せについて算出する（３００３）。
【０１３４】
ここで、ハンドオーバ先決定部２１４は、ステップ３００３における算出のために以下の式（５）及び式（６）を用いる。
【０１３５】
Ｄｉｆｆ＿Ｔ（ｎ）＝Ｔ（ｎ，２）−Ｔ（ｎ，１）      （５）
Ｄｉｆｆ＿Ｐ（ｎ）＝Ｐ（ｎ，２）−Ｐ（ｎ，１）      （６）
【０１３６】
なお、Ｄｉｆｆ＿Ｔは、ハンドオーバ前後のトラフィック量の和の増減量である。Ｄｉｆｆ＿Ｔが正である場合、Ｄｉｆｆ＿Ｔはトラフィック量の増加を示し、Ｄｉｆｆ＿Ｔが負である場合、Ｄｉｆｆ＿Ｔはトラフィック量の減少を示す。
【０１３７】
Ｄｉｆｆ＿Ｐは、ハンドオーバ前後の消費電力量の和の増減量である。Ｄｉｆｆ＿Ｐが正である場合、Ｄｉｆｆ＿Ｐは消費電力量の増加を示し、Ｄｉｆｆ＿Ｐが負である場合、Ｄｉｆｆ＿Ｐは消費電力量の減少を示す。
【０１３８】
そして、Ｄｉｆｆ＿Ｔ（ｎ）及びＤｉｆｆ＿Ｐ（ｎ）は、引数ｎが示すターゲットセル１０５ｂについて算出された増減量を示す。すなわち、ｎ＝１である場合、１番目のターゲットセル１０５ｂの増減量を示し、ｎ＝Ｎである場合、Ｎ番目のターゲットセル１０５ｂの増減量を示す。
【０１３９】
ステップ３００３の後、サービングセル１０５ａのハンドオーバ先決定部２１４は、トラフィック量の増減量、及び、消費電力量の増減量に基づいて、ハンドオーバ用の評価関数を生成する（３００４）。
【０１４０】
ここで、ハンドオーバ先決定部２１４は、ハンドオーバ用の評価関数として以下の式（７）を生成する。
【０１４１】
Ｅ（ｎ）＝α×（Ｄｉｆｆ＿Ｔ（ｎ））＋β×（−Ｄｉｆｆ＿Ｐ（ｎ））＋γ      （７）
【０１４２】
Ｄｉｆｆ＿Ｐは消費電力量の増減量である。Ｄｉｆｆ＿Ｐが負である場合（すなわち、ハンドオーバ前よりもハンドオーバ後の消費電力量が小さい場合）、Ｄｉｆｆ＿Ｐは消費電力量が向上したことを意味する。このため、ハンドオーバ先決定部２１４は、式（７）を算出する際、Ｄｉｆｆ＿Ｐにマイナス１をあらかじめ乗じ、符号反転を行う。
【０１４３】
消費電力量の増減量であるＤｉｆｆ＿Ｐが負であるか、又は、Ｄｉｆｆ＿Ｐが正であり、かつ、絶対値がトラフィック量の増減値に対して十分に小さい場合、式（７）による評価関数値はより高い値に算出される。そして、ハンドオーバ先決定部２１４は、評価関数値に最も高い値が算出されたターゲットセル１０５ｂを、ハンドオーバ先に決定する。
【０１４４】
重みα及び重みβは、正の数である。重みαは、トラフィック量の増減量に対する重み係数である。重みβは、消費電力量の増減量に対する重み係数である。基地局１０１ａは、重みα及び重みβを、評価関数用パラメータとしてあらかじめ保持してもよい。
【０１４５】
重みαの値が大きいほど、移動局１０３は、トラフィック量の増減量を重視したハンドオーバを行うことができ、重みβの値が大きいほど、移動局１０３は、消費電力量重視のハンドオーバを行うことができる。
【０１４６】
オフセット値γは、ハンドオーバ判定基準を調整するためのオフセット値である。オフセット値γは、０又は正の数である。管理者等は、ハンドオーバ先に優先的に決定するターゲットセル１０５ｂを設ける場合、当該ターゲットセル１０５ｂの評価関数を算出するためのオフセット値γの値を大きくし、評価関数の値を大きくする。
【０１４７】
管理者等は、オフセット値γを、例えば、サービングセル１０５ａのセル種別とターゲットセル１０５ｂのセル種別との組み合わせにより決定してもよい。この場合、サービングセル１０５ａは、予め、セル種別の組む合わせに対するオフセット値γの値を示すテーブルを保持してもよく、このテーブルからオフセット値γの値を決定する。
【０１４８】
また、基地局１０１が蓄電システムを備える場合、ハンドオーバ先決定部２１４は、オフセット値γを、基地局１０１の蓄電池の残容量に従って決定してもよい。具体的には、ハンドオーバ先決定部２１４は、蓄電池の残容量が所定の閾値よりも低い場合のオフセット値γを、蓄電池の残容量が所定の閾値以上である場合のオフセット値γより低い値に決定してもよい。
【０１４９】
また、評価関数において、Ｄｉｆｆ＿Ｔ及びＤｉｆｆ＿Ｐには、それぞれにオフセット値が加算されてもよい。
【０１５０】
実施例１のハンドオーバ先決定部２１４は、前述の式（７）を用いてハンドオーバ先を決定するための評価関数値を算出することによって、ハンドオーバに伴うトラフィック量の増減量に対して、消費電力量の増加が少ない又は増加しないターゲットセル１０５ｂをハンドオーバ先に選択することができる。
【０１５１】
そして、実施例１のハンドオーバ先決定部２１４は、このようにトラフィック量及び消費電力量の増減量を用いてハンドオーバ先を決定するため、ハンドオーバが発生した場合も、トラフィック量の変化に対して消費電力量の増加が無線通信システム全体において最も少なくなるようなハンドオーバ先を決定することができ、無線通信システム全体におけるエネルギー効率のよいハンドオーバを行うことができる。
【０１５２】
このため、実施例１のハンドオーバ先決定部２１４は、無線通信システム全体における無線リソースを有効に活用し、かつ、無線通信システム全体の消費電力量を低減することができる。
【０１５３】
そして、実施例１のハンドオーバ先決定部２１４は、セル１０５の種別がスモールセルであり、消費電力量がマクロセルより常に少ない基地局１０１がハンドオーバ先に決定され易い状況を回避できる。
【０１５４】
ステップ３００４の後、サービングセル１０５ａのハンドオーバ先決定部２１４は、ステップ３００４において算出した評価関数値が最も大きくなるターゲットセル１０５ｂをハンドオーバ先に決定する。
【０１５５】
シーケンス１０１１の後、サービングセル１０５ａのハンドオーバ判定部２１３は、決定したハンドオーバ先のターゲットセル１０５ｂに、移動局１０３をハンドオーバさせてよいか問い合わせる（１０１２ａ：ＨＯ  Ｒｅｑｕｅｓｔ）。
【０１５６】
シーケンス１０１２ａの後、ターゲットセル１０５ｂのハンドオーバ判定部２１３は、ハンドオーバによって新たに移動局１０３を受け容れてもよいか判定（Ａｄｍｉｓｓｉｏｎ  Ｃｏｎｔｒｏｌ）する（１０１３）。
【０１５７】
ターゲットセル１０５ｂのハンドオーバ判定部２１３は、シーケンス１０１３における判定に使用する負荷情報として、ＲＢ使用率、トラフィックの種類、及び、接続する移動局１０３の数、などを使用してもよい。そして、ハンドオーバ判定部２１３は、新たに移動局１０３を受け容れることによって負荷情報が一定の閾値以上になる場合、受け入れを拒否してもよい。
【０１５８】
ターゲットセル１０５ｂのハンドオーバ判定部２１３は、シーケンス１０１３におけるＡｄｍｉｓｓｉｏｎ  Ｃｏｎｔｒｏｌの結果、受け容れ可（ＡＣＫ）と判定した場合、サービングセル１０５ａに、受け容れ可（ＡＣＫ）であることを通知する（１０１４ａ）。
【０１５９】
サービングセル１０５ａとターゲットセル１０５ｂとが直接通信するためのインタフェースを各々備えている場合、サービングセル１０５ａとターゲットセル１０５ｂとのハンドオーバ判定部２１３は、このインタフェースを介して、シーケンス１０１２ａ及び１０１４ａにおいて直接通信してもよい。また、サービングセル１０５ａとターゲットセル１０５ｂのハンドオーバ判定部２１３は、コアネットワーク１０２の上位装置１０４を介して通信してもよい。
【０１６０】
サービングセル１０５ａのハンドオーバ判定部２１３は、ＨＯ  Ｒｅｑｕｅｓｔに対するＡＣＫがターゲットセル１０５ｂから通知された場合、ＲＲＣ  Ｃｏｎｎｅｃｔｉｏｎ  Ｒｅｃｏｎｆｉｇｕｒｅを移動局１０３に通知する為の下りリソースを割り当てる（１０１５）。
【０１６１】
そして、シーケンス１０１５の後、サービングセル１０５ａのハンドオーバ判定部２１３は、ハンドオーバ先の基地局がシーケンス１０１１ａにおいて決定したターゲットセル１０５ｂであることと、ターゲットセル１０５ｂへのハンドオーバを行う為の情報とを、移動局１０３に通知する（１０１６：ＲＲＣ  Ｒｅｃｏｎｆｉｇｕｒｅ）。
【０１６２】
シーケンス１０１６までの処理によって、ハンドオーバを行う為の準備が整う。その後、移動局１０３及びサービングセル１０５ａは、所定のハンドオーバ手続きに従い、ハンドオーバする。例えば、移動局１０３は、サービングセル１０５ａから接続を切り（１０１７）、ターゲットセル１０５ｂと同期処理を行う（１０１８）。また、サービングセル１０５ａのハンドオーバ判定部２１３は、移動局１０３用に保持していたバッファデータ及び通信中のパケットを、ターゲットセル１０５ｂに引き継ぐ（シーケンス１０１９）。
【０１６３】
実施例１によれば、ハンドオーバ前後のトラフィック量及び消費電力量の増減量を用いてハンドオーバ先のターゲットセル１０５ｂを決定するため、無線通信システム全体のエネルギー効率が最もよいハンドオーバを実行することができる。
【０１６４】
なお、前述したハンドオーバ判定部２１３及びハンドオーバ先決定部２１４による処理は、ハンドオーバ先決定部２１４がシーケンス１０１１ａを実行し、かつ、ハンドオーバ判定部２１３がシーケンス１００４を実行すれば、ハンドオーバ判定部２１３及びハンドオーバ先決定部２１４のいずれが実行してもよい。
【実施例２】
【０１６５】
実施例２における基地局１０１は、実施例１と異なり、相互に直接接続されていない。このため、実施例２におけるサービングセル１０５ａ及びターゲットセル１０５ｂは、トラフィック量の測定値及び推定値と消費電力量の測定値及び推定値との要求及び通知を、上位装置１０４を介して行う。また、実施例２におけるサービングセル１０５ａは、移動局１０３をハンドオーバさせてよいか上位装置１０４を介してターゲットセル１０５ｂに問い合わせる。
【０１６６】
図１１は、実施例２のハンドオーバの準備処理を示すシーケンス図である。
【０１６７】
図９に示すシーケンスと図１１に示すシーケンスとの相違点は、図１１に示すシーケンス１００５ｂ、１０１０ｂ、１０１２ｂ及び１０１４ｂである。
【０１６８】
サービングセル１０５ａのハンドオーバ判定部２１３は、図１１に示すシーケンス１００５ｂにおいて、シーケンス１００５ａと異なり、上位装置１０４を介してターゲットセル１０５ｂに、トラフィック量及び消費電力量の測定値及び推定値を要求する。
【０１６９】
具体的には、シーケンス１００５ｂにおいて、上位装置１０４は、移動局１０３をハンドオーバさせる前のトラフィック量及び消費電力量の測定値と移動局１０３をハンドオーバさせた後のトラフィック量及び消費電力量の推定値の要求と、推定値の算出に必要な情報（例えば、移動局１０３におけるターゲットセル１０５ｂからの無線品質）を仲介する。
【０１７０】
なお、サービングセル１０５ａからターゲットセル１０５ｂへの通知は、Ｅ−ＵＴＲＡＮにおける、Ｒｅｓｏｕｒｃｅ  Ｓｔａｔｕｓ  Ｒｅｐｏｒｔｉｎｇを用いることが望ましい。
【０１７１】
また、ターゲットセル１０５ｂのハンドオーバ判定部２１３は、図１１に示すシーケンス１０１０ｂにおいて、シーケンス１０１０ａと異なり、上位装置１０４を介してサービングセル１０５ａに、トラフィック量及び消費電力量の測定値及び推定値、並びに、セル情報を通知する。
【０１７２】
なお、ターゲットセル１０５ｂからサービングセル１０５ａへの通知は、Ｅ−ＵＴＲＡＮにおける、Ｒｅｓｏｕｒｃｅ  Ｓｔａｔｕｓ  Ｒｅｐｏｒｔｉｎｇを用いることが望ましい。
【０１７３】
また、図１１に示すシーケンス１０１２ｂにおけるハンドオーバ可否の問い合わせ、及び、シーケンス１０１４ｂの応答は、コアネットワーク１０２の上位装置１０４を介して実行される。
【０１７４】
シーケンス１００５ｂ及びシーケンス１０１０ｂにおける通信は、Ｅ−ＵＴＲＡＮにおける、Ｓ１インタフェースを介して行われてもよい。Ｓ１インタフェースは、基地局１０１とＭＭＥ１１１とを結ぶインタフェースである。また、上位装置１０４がＥＭＳ装置を備える場合、ＥＭＳ装置を介してシーケンス１００５ｂ及びシーケンス１０１０ｂにおける通信が行われてもよい。
【０１７５】
実施例２によれば、基地局１０１同士の間に直接情報を交換するインタフェースを、基地局１０１が備える必要がない。
【実施例３】
【０１７６】
実施例３は、実施例１と異なり、基地局１０１が消費電力測定部２１６を有さない。実施例３の無線通信システムは、基地局１０１の外部から基地局１０１の消費電力を測定する消費電力測定装置４０１を含む。実施例３の消費電力測定装置４０１は、例えば、スマートメータである。
【０１７７】
図１２は、実施例３の基地局１０１の機能を示す機能ブロック図である。
【０１７８】
図１２に示す基地局１０１と図４に示す基地局１０１との相違点は、図１２に示す基地局１０１が消費電力測定部２１６を有しておらず、消費電力収集部２１９を有する点である。
【０１７９】
消費電力収集部２１９は、後述するシーケンス１００６ｂとシーケンス１００８ｂとにおいて、消費電力測定装置４０１から基地局１０１の消費電力量を示す情報を収集する機能部である。消費電力収集部２１９は、インタフェース部２０３を介して消費電力測定装置４０１と通信する。
【０１８０】
消費電力測定装置４０１は、ネットワークインタフェースを有する装置である。基地局１０１の消費電力収集部２１９は、消費電力測定装置４０１と、有線によって通信してもよいし、無線によって通信してもよい。
【０１８１】
図１２に示す消費電力収集部２１９以外の機能部と、図３に示す消費電力測定部２１６以外の機能部とは同じである。
【０１８２】
図１３は、実施例３のハンドオーバの準備処理を示すシーケンス図である。
【０１８３】
図９に示すシーケンスと図１３に示すシーケンスとの相違点は、シーケンス１００６及びシーケンス１００８である。図１３に示すシーケンス１００６及び１００８以外のシーケンスは、図９に示すシーケンスと同じである。
【０１８４】
シーケンス１００５ａの後、シーケンス１００６ｂにおいて、サービングセル１０５ａのトラフィック測定部２１５は、シーケンス１００６ａと同じく、移動局１０３をハンドオーバさせる前の基地局１０１ａのトラフィック量を測定する。一方、シーケンス１００６ｂにおいて、サービングセル１０５ａの消費電力収集部２１９は、消費電力測定装置４０１から基地局１０１ａの消費電力量の測定値を取得する。
【０１８５】
サービングセル１０５ａのトラフィック測定部２１５及び消費電力収集部２１９は、取得したトラフィック量と消費電力量との測定値をトラフィック情報テーブル２０１３と消費電力情報テーブル２０１４にそれぞれ格納する。
【０１８６】
また、シーケンス１００５ａの後、シーケンス１００８ｂにおいて、ターゲットセル１０５ｂのトラフィック測定部２１５は、シーケンス１００８ａと同じく、移動局１０３をハンドオーバさせる前の基地局１０１ｂのトラフィック量を測定し、測定値を取得する。
【０１８７】
一方、シーケンス１００８ｂにおいて、ターゲットセル１０５ｂの消費電力収集部２１９は、基地局１０１ｂの外部に設置された消費電力測定装置４０１から基地局１０１ｂの消費電力量の測定値を取得する。
【０１８８】
図１４は、実施例３の消費電力量を収集する処理を示すシーケンス図である。
【０１８９】
図１４に示すシーケンスは、シーケンス１００６ｂとシーケンス１００８ｂとにおいて行われる、消費電力収集部２１９の処理を示す。
【０１９０】
基地局１０１の消費電力収集部２１９は、消費電力測定装置４０１に消費電力量を示す消費電力情報を要求する（４００１）。要求する消費電力情報は、消費電力量の瞬時値でもよいし、予め定められた期間の平均値であってもよい。
【０１９１】
消費電力測定装置４０１は、基地局１０１から消費電力情報を要求された場合、要求元である基地局１０１の消費電力量を測定する（４００２）。消費電力測定装置４０１は、例えば、基地局１０１に流れる電流量を測定することにより消費電力量を測定する。
【０１９２】
シーケンス４００２の後、消費電力測定装置４０１は、要求元である基地局１０１に、測定した消費電力量を示す消費電力情報を通知する（４００３）。
【０１９３】
実施例３によれば、基地局１０１に消費電力を測定する機能を実装させる必要がないため、既存の無線通信システムに本実施例を適用するための設備を実装することが容易である。
【０１９４】
なお、実施例３の消費電力測定装置４０１は、実施例２の基地局１０１に設置され、実施例２の基地局１０１は、消費電力収集部２１９を有してもよい。そして、実施例２のサービングセル１０５ａ及びターゲットセル１０５ｂが消費電力測定装置４０１を用いて消費電力を取得してもよい。
【実施例４】
【０１９５】
実施例４の基地局１０１は、シーケンス１０１１ａにおいて用いられる評価関数の重みα、重みβ及びオフセット値γの少なくとも一つの評価関数用のパラメータを、上位装置１０４から取得する。実施例４の上位装置１０４は、管理者等がパラメータを入力するための入出力装置を備える。また、入力されたパラメータを格納するメモリを有する。
【０１９６】
図１５は、実施例４のハンドオーバの準備処理を示すシーケンス図である。
【０１９７】
図１５に示すシーケンスと図９に示すシーケンスとの相違点は、図１５に示すハンドオーバ先決定部２１４が、シーケンス１０１０ａの後、ハンドオーバ用の評価関数に用いるパラメータ（重みα、重みβ及びオフセット値γ）を、上位装置１０４から取得する点である。
【０１９８】
実施例４のサービングセル１０５ａのハンドオーバ先決定部２１４は、シーケンス１０１０ａの後、上位装置１０４に評価関数用パラメータを要求する（１０２１）。評価関数用パラメータは、重みα、重みβ及びオフセット値γの少なくとも一つである。
【０１９９】
ハンドオーバ先決定部２１４は、例えば、上位装置１０４のＳＯＮサーバ１１４に評価関数用パラメータを要求してもよい。
【０２００】
上位装置１０４は、基地局１０１から評価関数用パラメータを要求された場合、要求元の基地局１０１に、要求に従った評価関数用パラメータを通知する（１０２２）。
【０２０１】
実施例４によれば、上位装置１０４が重みα、重みβ及びオフセット値γを保持するため、管理者等が重みα、重みβ及びオフセット値γを容易に更新することができ、ハンドオーバ先の決定方法を任意に調整することができる。
【０２０２】
なお、実施例２及び実施例３のサービングセル１０５ａは、実施例４のサービングセル１０５ａと同じく、評価関数用パラメータをコアネットワーク１０２から取得してもよい。
【実施例５】
【０２０３】
実施例５における基地局管理装置１００は、上位装置１０４の中の一つの機能であり、実施例５の上位装置１０４がハンドオーバ先となるターゲットセル１０５ｂを決定する。上位装置１０４は、基地局１０１が接続するコアネットワーク１０２に設置された装置であり、プロセッサ及びメモリを有する。
【０２０４】
図１６は、実施例５のハンドオーバの準備処理を示すシーケンス図である。
【０２０５】
実施例５の上位装置１０４は、ハンドオーバ先決定部２１４と記憶部２２０と同じ機能部を有する。ここで上位装置１０４は、基地局管理装置１００の機能部（ハンドオーバ先決定部２１４及び記憶部２００）を、例えば、ＳＯＮサーバ１１４の機能部、又は、ＯＡＭ装置１１０の機能部として含んでもよい。
【０２０６】
また、実施例５の上位装置１０４は、基地局管理装置１００の機能部を実装するため、図３に示すハードウェア構成を少なくとも有する。
【０２０７】
以下に、実施例５と実施例１との相違点を記載する。図１６と図９との相違点は、図１６が、シーケンス１００５ｃ、１０１０ｃ、１０１１ｂ、及び、１０２０を含む点である。それ以外の図１６に示すシーケンスは、図９に示すシーケンスと同じである。
【０２０８】
実施例５のサービングセル１０５ａのハンドオーバ判定部２１３は、シーケンス１００４の後、ハンドオーバ先の候補であるターゲットセル１０５ｂに、移動局１０３をハンドオーバさせる前のトラフィック量及び消費電力量の測定と、移動局１０３をハンドオーバさせた後のトラフィック量及び消費電力量の推定とを要求し、推定値の算出に必要な情報（例えば、移動局ＩＤ及びターゲットセル１０５ｂ間の無線通信の無線品質情報）を通知する（１００５ｃ）。
【０２０９】
シーケンス１００５ｃにおいて、サービングセル１０５ａのハンドオーバ判定部２１３は、測定値と推定値との送信を要求しない。この点が実施例１のシーケンス１００５ａと実施例５のシーケンス１００５ｃとの相違点である。
【０２１０】
シーケンス１００７の後、サービングセル１０５ａのハンドオーバ判定部２１３は、図９に示すシーケンスと異なり、ハンドオーバ前のトラフィック量及び消費電力量の測定値と、ハンドオーバ後のトラフィック量及び消費電力量の推定値とを上位装置１０４に送信する。
【０２１１】
また、シーケンス１００９の後、ターゲットセル１０５ｂのハンドオーバ判定部２１３は、シーケンス１０１０ａと異なり、ハンドオーバ前のトラフィック量及び消費電力量の測定値と、ハンドオーバ後のトラフィック量及び消費電力量の推定値とを上位装置１０４に送信する（１０１０ｃ）。
【０２１２】
シーケンス１０１０ｃの後、上位装置１０４のハンドオーバ先決定部２１４は、記憶部２２０が有するセル情報テーブル２０１２、トラフィック情報テーブル２０１３及び消費電力情報テーブル２０１４に、サービングセル１０５ａとターゲットセル１０５ｂとから送信されたセル情報、トラフィック量及び消費電力量をそれぞれ格納する。
【０２１３】
上位装置１０４のハンドオーバ先決定部２１４は、図１０に示す処理を実行し、ハンドオーバ前後のサービングセル１０５ａのトラフィック量及び消費電力量と、ハンドオーバ前後のターゲットセル１０５ｂのトラフィック量及び消費電力量とに基づいて、ハンドオーバ用の評価関数を生成し、生成したハンドオーバ用の評価関数値が最も大きくなるターゲットセル１０５ｂをハンドオーバ先として決定する（１０１１ｂ）。
【０２１４】
シーケンス１０１１ｂの後、上位装置１０４のハンドオーバ先決定部２１４は、ハンドオーバ先として決定したターゲットセル１０５ｂをサービングセル１０５ａに通知する（１０２０）。なお、シーケンス１０２０における通知は、ハンドオーバ先決定部２１４以外の、上位装置１０４の機能部が実行してもよい。
【０２１５】
シーケンス１０２０の後、サービングセル１０５ａのハンドオーバ判定部２１３は、シーケンス１０１２ａを実行し、ハンドオーバ準備の処理を進める。以降の処理は、図９に示すシーケンスと同じであり、サービングセル１０５ａのハンドオーバ判定部２１３は、シーケンス１０１６において、ハンドオーバ先として決定したターゲットセル１０５ｂ、及び、ハンドオーバのための情報を移動局１０３を通知する。
【０２１６】
実施例５によれば、ハンドオーバ先の決定を上位装置１０４において実行するため、基地局１０１における処理の負荷を低減できる。
【０２１７】
なお、実施例２、３及び４におけるサービングセル１０５ａは、実施例５のサービングセル１０５ａと同じく基地局管理装置１００の機能（ハンドオーバ先決定部２１４及び記憶部２２０）を有さず、実施例２、３及び４における上位装置１０４が基地局管理装置１００の機能を有してもよい。そして、上位装置１０４が、実施例２、３及び４におけるシーケンス１０１１ａを実行してもよい。
【０２１８】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除又は置換をすることが可能である。
【０２１９】
また、上記の各構成、機能及び処理部等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル又はファイル等の情報は、メモリ、ハードディスク、若しくはＳＳＤ（Ｓｏｌｉｄ  Ｓｔａｔｅ  Ｄｒｉｖｅ）等の記録装置、又は、ＩＣカード、若しくはＳＤカード等の記録媒体に置くことができる。
【０２２０】
また、制御線及び情報線は説明上必要と考えられるものを示しており、製品上必ずしも全ての制御線及び情報線を示しているとは限らない。実際には殆ど全ての構成が相互に接続されていると考えてもよい。
【符号の説明】
【０２２１】
１０１  基地局（ｅＮＢ）
１０２  コアネットワーク
１０３  移動局（ＵＥ）
１０４  上位装置
１１０  ＯＡＭ装置（Ｏｐｅｒａｔｉｏｎ  Ａｎｄ  Ｍａｉｎｔｅｎａｎｃｅ）
１１１  ＭＭＥ（Ｍｏｂｉｌｉｔｙ  Ｍａｎａｇｅｍｅｎｔ  Ｅｎｔｉｔｙ）
１１２  Ｓ−ＧＷ（Ｓｅｒｖｉｎｇ−ＧａｔｅＷａｙ）
１１３  Ｐ−ＧＷ（Ｐａｃｋｅｔ  Ｄａｔａ  Ｎｅｔｗｏｒｋ−ＧａｔｅＷａｙ）
１１４  ＳＯＮ（Ｓｅｌｆ  Ｏｒｇａｎｉｚｉｎｇ  Ｎｅｔｗｏｒｋ）サーバ
【図１】
2016201582.tif 000003
【図２】
2016201582.tif 000004
【図３】
2016201582.tif 000005
【図４】
2016201582.tif 000006
【図５】
2016201582.tif 000007
【図６】
2016201582.tif 000008
【図７】
2016201582.tif 000009
【図８】
2016201582.tif 000010
【図９】
2016201582.tif 000011
【図１０】
2016201582.tif 000012
【図１１】
2016201582.tif 000013
【図１２】
2016201582.tif 000014
【図１３】
2016201582.tif 000015
【図１４】
2016201582.tif 000016
【図１５】
2016201582.tif 000017
【図１６】
2016201582.tif 000018